(57)【要約】【解決手段】        モジュールデータセンタが、２つの建物モジュールを利用して構築され、各モジュールは、その中に配置されたコンピュータラックを含み、コンピュータラックは、外側アクセススペースを画成するように外側壁から間隔を隔てられ、且つ、内部アクセススペースを画成するように内側開口から間隔を隔てられる。モジュールは、それらの開口が互いに隣接するように連結され、隣接する内側アクセススペースは、２つのコンピュータラック間に連続空間を形成し、その空間は、各コンピュータラックのアクセス要求を満たす。２つのコンピュータラック間の内側アクセススペースは、モジュールデータセンタの残りの部分から別個に冷却することができる環境を形成するように、包囲されるのがよい。方法は、コンピュータラックのアクセススペースが重なるように連結された２つの建物モジュールを設け、１つのモジュールのアクセススペースの一部分が、もう１つのモジュールのアクセススペースの一部を形成する。【選択図】          図５
2013511777.tif 000002
【特許請求の範囲】
【請求項１】
モジュールデータセンタであって、
第１側を有し、この第１側に沿って壁が配置され、第１側と反対の第２側を有し、この第２側に開口が形成され、開口に隣接した第１アクセス領域と、第１側と第１アクセス領域との間に配置された第１コンピュータラックと、を有する、第１モジュールと、
第１側を有し、この第１側に沿って壁が配置され、第１側に対向する第２側を有し、この第２側に開口が形成され、開口に隣接した第２アクセス領域と、第１側と第２アクセス領域との間に配置された第２コンピュータラックと、を有する、第２モジュールと、を含み、
第１アクセス領域と第２アクセス領域が結合され且つ第１及び第２コンピュータラックの間に延びるように、第１モジュールが第２モジュールと連結される、モジュールデータセンタ。
【請求項２】
第１及び第２アクセス領域の周りの囲壁をさらに含み、それによって、結合されたアクセス領域が包囲される、請求項１に記載のモジュールデータセンタ。
【請求項３】
冷却システムをさらに含み、冷却システムは、密閉されたアクセス領域を個別に冷却するために、モジュールデータセンタの残りの部分から隔離される、請求項２に記載のモジュールデータセンタ。
【請求項４】
第１モジュール及び第２モジュールは、一緒にボルト止めされる、請求項１に記載のモジュールデータセンタ。
【請求項５】
第１モジュール及び第２モジュールの各々は、構造ベースレールと、構造ベースレールの上に取り付けられたフロアと、フロアの下に形成されたチェースと、をさらに含む、請求項１に記載のモジュールデータセンタ。
【請求項６】
各コンピュータラックを取り付けるプラットフォームをさらに含み、各プラットフォームはベースを有し、ベースには少なくとも２つの開口が配置されている、請求項１に記載のモジュールデータセンタ。
【請求項７】
モジュールデータセンタを形成する方法であって、
第１コンピュータラックを取り付け、第１コンピュータラックに隣接して画成された第１アクセス領域を有する第１構造モジュールを準備し、
第２コンピュータラックを取り付け、第２コンピュータラックに隣接して画成された第２アクセス領域を有する第２構造モジュールを準備し、
第１及び第２アクセス領域が結合されて第１及び第２コンピュータラックの間に延びるように、第１構造モジュールと第２構造モジュールとを互いに固定すること、を含むモジュールデータセンタを形成する方法。
【請求項８】
第１及び第２アクセス領域の周りに囲壁を形成して、囲まれたアクセス領域を形成することをさらに含む、請求項７に記載のモジュールデータセンタを形成する方法。
【請求項９】
囲まれたアクセス領域を、モジュールデータセンタの残りの部分とは別個に冷却することをさらに含む、請求項８に記載のモジュールデータセンタを形成する方法。
【請求項１０】
第１モジュール及び第２モジュールは、一緒にボルト止めされる、請求項７に記載のモジュールデータセンタを形成する方法。
【請求項１１】
固定された第１及び第２モジュールのフロアの下に同じ広がりのチェースを形成することをさらに含む、請求項１０に記載のモジュールデータセンタを形成する方法。
【請求項１２】
モジュールを互いに固定する前に、複数のコンピュータラックを各モジュールに設置することをさらに含み、複数のコンピュータラックはプラットフォームに取り付けられ、プラットフォームは、１つの一体のユニットとして移動され且つ設置されるように配置される、請求項１１に記載のモジュールデータセンタを形成する方法。
【請求項１３】
モジュールデータセンタであって、
対向する端壁を有し、それらの間に第１外側壁が配置され、天井と、フロアと、第１外側壁と反対の側に画成された開口と、を有する第１モジュールを含み、開口は第１外側壁から約８フィート以下間隔を隔てられ、第１モジュールは、第１外側壁から間隔を隔てられた第１の細長いコンピュータラックを有し、該コンピュータラックは、コンピュータラック第１端からコンピュータラック第２端まで第１外側壁の長さの大部分に沿って延び、第１コンピュータラックは、第１外側壁に面する外側と、開口に面する内側と、を有し、第１アクセス領域が、第１コンピュータラックと第１モジュール側との間に延び、
対向する端壁を有し、それらの間に第２外側壁が配置され、天井と、フロアと、第２外側壁と反対の側に画成された開口と、を有する第２モジュールを含み、開口は第２外側壁から約８フィート以下間隔を隔てられ、第２モジュールは、第２外側壁から間隔を隔てられた第２の細長いコンピュータラックを有し、該コンピュータラックは、コンピュータラック第１端からコンピュータラック第２端まで第２外側壁の長さの大部分に沿って延び、第２コンピュータラックは、第２外側壁に面する外側と、開口に面する内側と、を有し、第２アクセス領域が、第２コンピュータラックと第２モジュール側との間に延び、
第１及び第２コンピュータラックが互いに平行となり且つ第１モジュール及び第２モジュールのアクセス領域が平行なコンピュータラックの間に連続空間を形成するように、第１モジュールが第２モジュールと連結される、モジュールデータセンタ。
【請求項１４】
連続空間を形成する第１及び第２アクセス領域を取り囲む囲壁をさらに含む、請求項１３に記載のモジュールデータセンタ。
【請求項１５】
囲壁は、第１モジュールの第１コンピュータラックと天井との間に延びる第１囲壁と、第２モジュールの第２コンピュータラックと天井との間に延びる第２囲壁と、第１及び第２コンピュータラックのそれぞれの第１端の間に延びる第１端囲壁と、第１及び第２コンピュータラックのそれぞれの第２端の間に延びる第２端囲壁と、をさらに含み、第１及び第２コンピュータラックの内側は、囲壁内に配置され、第１及び第２コンピュータラックの外側は、囲壁の外側に配置される、請求項１４に記載のモジュールデータセンタ。
【請求項１６】
冷却システムをさらに含み、冷却システムは、囲壁内側の環境を第１温度に維持し、囲壁外側の環境を第２温度に維持するように配置される、請求項１５に記載のモジュールデータセンタ。
【請求項１７】
冷却システムは、第１及び第２コンピュータラックを通って囲壁内側の環境から囲壁外側の環境に至る空気の流れを作り出すように配置される、請求項１６に記載のモジュールデータセンタ。
【請求項１８】
モジュールデータセンタであって、
第１及び第２建築モジュールを含み、
コンピュータラックが、第１及び第２建物モジュールの各々に配置され、外側アクセススペースを画成するように第１及び第２建物モジュールの外側壁から間隔を隔てられ、且つ、内側アクセススペースを画成するように第１及び第２建物モジュールの内側開口から間隔を隔てられ、
第１及び第２建物モジュールは、それらの内側開口が互いに隣接し且つ第１及び第２モジュールの内側アクセススペースがコンピュータラック間に連続空間を形成するように連結され、その空間は、各コンピュータラックのアクセス要求を満たす、モジュールデータセンタ。
【請求項１９】
コンピュータラックの内側アクセススペースを取り囲む囲壁をさらに含む、請求項１８に記載のモジュールデータセンタ。
【請求項２０】
第１及び第２建物モジュールの外側アクセススペースは、第１及び第２建物モジュールの内側アクセス空間より大きい、請求項１８に記載のモジュールデータセンタ。
【請求項２１】
第１及び第２建物モジュールの外側アクセススペースは約３フィートである、請求項２０に記載のモジュールデータセンタ。
【請求項２２】
モジュールデータセンタを組み立てる方法であって、
各々コンピュータラックを有する第１及び第２建物モジュールを準備することを含み、コンピュータラックは、これと関連したアクセススペースを有し、
それぞれのアクセススペースが重なるように第１及び第２建物モジュールを連結することを含み、第１建物モジュールのアクセススペースの一部が、第２モジュールのアクセススペースの一部を形成する、モジュールデータセンタを組み立てる方法。
【請求項２３】
モジュールは、幅が８フィート以下である、請求項７に記載の方法。
【請求項２４】
第１及び第２のモジュールは、幅が約８フィートである、請求項１に記載のモジュールデータセンタ。
【請求項２５】
第１及び第２モジュールは、幅が８フィート以下である、請求項１に記載のモジュールデータセンタ。
【請求項２６】
コンピュータラックと関連したアクセススペースは、実際のアクセススペースと所望なアクセススペースとを含み、実際のアクセススペースは、コンピュータラックとモジュール側との間の範囲であり、所望なアクセススペースは、コンピュータラックに所望なアクセススペースであり、モジュールの実際のアクセススペースは、モジュールの所望なアクセススペースより小さく、第１建物モジュールの実際のアクセススペースの一部分が、第２モジュールの所望なアクセススペースを満たすように、第２建物モジュールの実際のアクセススペースと結合される、請求項２２に記載の方法。
【請求項２７】
第２モジュールの実際のアクセススペースの一部分が、第１モジュールの所望なアクセススペースを満たすように、第１モジュールの実際のアクセススペースと結合される、請求項２６に記載の方法。
【請求項２８】
モジュールデータセンタを組み立てる方法であって、
各々コンピュータラックを含む第１及び第２建物モジュールを準備し、
コンピュータラックが互いから間隔を隔てられてそれらの間にアクセススペースを形成するように、第１及び第２建物モジュールを連結し、
コンピュータラック間のアクセススペースを囲い、モジュールデータセンタ内で、囲壁の内側に第１温度ゾーンを作り出し、囲壁の外側に第２温度ゾーンを作り出し、
囲まれたアクセススペースに空気の流れを向け、第１温度ゾーンから第２温度ゾーンに空気を流し、それによりコンピュータラックを冷却することと、を含む、モジュールデータセンタを組み立てる方法。
【請求項２９】
コンピュータラックは、囲壁の一部を形成し、空気は、第１温度ゾーンから第２温度ゾーンに流れるために、コンピュータラックの中を通過するように向けられる、請求項２８に記載の方法。
【請求項３０】
第１温度ゾーンは第２温度ゾーンより低温である、請求項２８に記載の方法。
【請求項３１】
モジュールデータセンタであって、
第１側を有し、この第１側に沿って壁が配置され、第１側と反対の第２側を有し、この第２側に開口が形成される第１モジュールを含み、第１モジュールは、開口に隣接して画成される第１アクセス領域と、第１側と第１アクセス領域との間に配置される第１コンピュータラックと、をさらに含み、
第１側を有し、この第１側に沿って壁が配置され、第１側と反対の第２側を有し、この第２側に開口が形成される第２モジュールを含み、第２モジュールは、開口に隣接して画成される第２アクセス領域と、第１側と第２アクセス領域との間に配置される第２コンピュータラックと、をさらに含み、
対向する側を有する第３モジュールを含み、この対向する側に開口が形成され、第３モジュールは、対向する側間に配置された第３コンピュータラックをさらに含み、中間アクセス領域が、第３コンピュータラックの両側で、第３コンピュータラックとそれぞれの開口との間に画成され、
第１アクセス領域が、第１及び第３コンピュータラックの間の１つの中間アクセス領域と結合されるように、第１モジュールが第３モジュールと連結され、
第２アクセス領域が、第２及び第３コンピュータラックの間の１つの中間アクセス領域と結合されるように、第２モジュールが第３モジュールと連結される、モジュールデータセンタ。
【請求項３２】
結合された第１及び中間アクセス領域の周りに囲壁をさらに含み、それによって、結合されたアクセス領域が包囲される、請求項３１に記載のモジュールデータセンタ。
【請求項３３】
第１又は第２コンピュータラックに取り付けられる１つ又はそれ以上の冷却コイルをさらに含む、請求項１に記載のモジュールデータセンタ。
【請求項３４】
モジュールデータセンタであって、
第１及び第２建物モジュールを含み、
データセンタ装置が、第１及び第２建物モジュールの各々に配置され、外側アクセススペースを画成するように第１及び第２建物モジュールの外側壁から間隔を隔てられ、且つ、内側アクセススペースを画成するように内側開口から第２所定距離間隔を隔てられ、
第１及び第２建物モジュールは、それらの内側開口が互いに隣接し且つ第１及び第２モジュールの内側アクセススペースがデータセンタ装置間に連続空間を形成するように連結され、その空間は、データセンタ装置のアクセス要求を満たす、モジュールデータセンタ。
【発明の詳細な説明】
【技術分野】
【０００１】
本発明は、一般的にはコンピューティングデータセンタに関わり、より具体的には、ラックマウント式又はシェルフマウント式のコンピューティングシステム用のモジュール部品を備えるモジュールデータセンタに関する。モジュールデータセンタを形成する方法も提供する。
【背景技術】
【０００２】
データセンタは、伝統的に、通常はエンジニアリング会社によって提供された設計仕様を利用して建設されてきた。次いで、この仕様は、部品を購入し、所有者の場所にデータセンタを建設するための入札価格を提供するために、ゼネコンに提供される。データセンタの設計及び建設は、主として、サーバラック、ラックを冷却する空調システム、様々な部品を収容する建物、電気供給設備、非常用発電機及びそれに付随する燃料貯蔵タンク、冷却水プラント、及び無停電電源装置（UPS）装置からなるデータセンタを含む。
【０００３】
近年、典型的には幅８フィートの輸送コンテナに部品を設置することによりモジュールデータセンタを構築する試みがなされてきた。このことにより、コンピュータラック及び他の機器を工場で設置し、容易に輸送することができるようになり、それにより現場で必要な労力及び建設の量を減少させた。
【０００４】
輸送コンテナの使用の欠点は、輸送コンテナで使用できる幅の限られた量である。標準的な輸送コンテナは、幅が８フィート（２．４４ｍ）しかない。この一定幅は、輸送コンテナ内に設置された様々な部品へのアクセススペースの量を制限する。例えば、一般的には、サーバラックの両側に少なくとも３フィート（０．９１ｍ）のアクセススペースを有することが望ましい。サーバラック自体の幅が３フィートである場合、サーバラックの両側に３フィートのアクセススペースを得ることはできない。
【０００５】
容易に輸送できる個々のモジュールを考慮に入れるが、組み立てられたモジュールデータセンタにおいて、様々な部品に必要なアクセススペースを設ける部品のレイアウト形態を提供する、モジュールデータセンタを提供する必要性が存在する。
【発明の概要】
【発明が解決しようとする課題】
【０００６】
本発明の特定の実施形態によれば、隣接する建物モジュールを利用して構築され、少なくとも２つのコンピュータラックをその中に収容させるように、隣接する建物モジュールのアクセススペースを結合し、両組のラックのアクセススペース要求を満たす、モジュールデータセンタを提供する。
【課題を解決するための手段】
【０００７】
具体的には、このような実施形態によれば、それぞれ構造用鋼又は他の適当な材料から製造され、建物モジュールの基礎として利用されるベースを有する２つ又はそれ以上の建物モジュールを提供する。各モジュールの１つの細長い外側が壁を備え、反対側には、開口が形成されている。各モジュールは、サーバラックの外側のアクセス要求を満たすように細長いモジュール外壁から所定距離間隔を隔てたサーバラックを受け入れるように配置される。一実施形態では、コンピュータラックは、外側壁と平行である。一実施形態では、コンピュータラックは、外壁に垂直である。２つ又はそれ以上のモジュールのベースは、互いにボルト止めされ又は他の方法で取り付けられ、その結果、開放側は当接してプレハブ建物を形成し、２つ又はそれ以上のモジュールのアクセススペースの内側部分が、当接する開放側を介して分割部を跨いで結合される。２つ又はそれ以上のモジュールは、複数の個々の輸送コンテナを利用することと比較して、伝統的な現場で建設されるデータセンタにより類似する、より大きい連続的なデータセンタを形成する。本発明のこのような実施形態によれば、２つ又はそれ以上の連結されたモジュール間の共有のアクセススペースの使用により、職員が２列又はそれ以上のコンピュータラック間の通路にアクセスするのに十分なアクセススペースを可能ならしめる。３つ又はそれ以上のモジュールの場合には、センターモジュールの細長い側の両方には開口が設けられる。
【０００８】
本発明の一実施形態では、モジュールデータセンタは、第１側を有し、この第１側に沿って壁が配置され、第１側と反対の第２側を有し、この第２側に開口が形成され、開口に隣接した第１アクセス領域と、第１側と第１アクセス領域との間に配置された第１コンピュータラックと、を有する、第１モジュールと、第１側を有し、この第１側に沿って壁が配置され、第１側と反対の第２側を有し、この第２側に開口が形成され、開口に隣接した第２アクセス領域と、第１側と第２アクセス領域との間に配置された第２コンピュータラックと、を有する、第２モジュールと、を含み、第１アクセス領域と第２アクセス領域が結合され、て第１コンピュータラックと第２コンピュータラックの間に延びるように、第１モジュールが第２モジュールと連結される。モジュールデータセンタは、第１及び第２アクセス領域の周りの囲壁をさらに含み、それによって、結合されたアクセス領域が囲まれる。一実施形態では、コンピュータラックは、アクセス領域の周りに囲壁の一部を形成する。モジュールデータセンタは、冷却システムを含むのがよく、冷却システムは、囲まれたアクセス領域を別々に冷却するために、モジュールデータセンタの残りの部分から隔離される。モジュールデータセンタは、第１モジュール及び第２モジュールが一緒にボルト止めされる場合、及び第１モジュール及び第２モジュールの各々が、構造ベースレール、構造ベースレールの上に取り付けられたフロア、及びフロアの下に形成されたチェースをさらに含む場合を含むのがよい。モジュールデータセンタは、各コンピュータラックを取り付けるプラットフォームを含むのがよく、各プラットフォームはベースを有し、ベースには少なくとも２つの開口が配置される。モジュールデータセンタは、複数のプラットフォームをさらに含むのがよく、各プラットフォームは、１つ又はそれ以上のコンピュータラックを収容し、各プラットフォームは、モジュールの組み立て中に、横並びのコンピュータラックの操作を容易にするフォークリフト又は同様の装置によって係合されるようになっている。
【０００９】
本発明の別の実施形態では、モジュールデータセンタを形成する方法は、第１コンピュータラックを取り付け、第１コンピュータラックに隣接して画成された第１アクセス領域を有する第１構造モジュールを準備し、第２コンピュータラックを取り付け、第２コンピュータラックに隣接して画成された第２アクセス領域を有する第２構造モジュールを準備し、第１及び第２アクセス領域が結合され且つ第１及び第２コンピュータラックの間に延びるように、第１構造モジュールと第２構造モジュールとを固定すること、を含む。この方法は、第１及び第２アクセス領域の周りに囲壁を形成して、囲まれたアクセス領域を形成し、モジュールデータセンタの残りの部分とは別に、囲まれたアクセス領域を冷却することをさらに含む。第１モジュール及び第２モジュールは、一緒にボルト止めされ、固定された第１及び第２モジュールのフロアの下に同じ広がりのチェースを形成することをさらに含む。この方法は、モジュールを互いに固定する前に、複数のコンピュータラックを各モジュールに設置することをさらに含むのがよく、複数のコンピュータラックはプラットフォームに取り付けられ、プラットフォームは１つの一体型ユニットとして移動され且つ設置されるように配置される。
【００１０】
添付図面に関してなされる以下の説明を参照することによって、本開示及びその利点のより完全な理解が得られるだろう。
【図面の簡単な説明】
【００１１】
【図１】モジュールの端面図である。
【図２】モジュールの側面図である。
【図３】モジュールデータセンタの端面図である。
【図４】モジュールデータセンタの平面図である。
【図５】モジュールデータセンタの冷却システムの端面図である。
【図６】モジュールデータセンタの冷却システムの平面図である。
【図７】モジュールデータセンタの平面図である。
【図８】モジュールデータセンタの等角図である。
【図９】モジュールデータセンタの端面図である。
【図１０】モジュールデータセンタを形成する方法を示す図である。
【発明を実施するための形態】
【００１２】
本発明のさらなる理解を容易にするために、特定の実施形態の以下の例が与えられる。以下の例は、本発明の範囲を制限し又は定義するために決して読まれるべきではない。
【００１３】
図１及び２は、それぞれ、モジュールデータセンタ２００（図３に示す）で使用されるべきモジュール１００の切取端面図及び切取側面図である。特定の実施形態によれば、モジュール１００の幅は、輸送を容易にするために選択される。例えば、一実施形態では、その幅は、標準の輸送用コンテナと一致する約８フィート（約２．４ｍ）である。別の実施形態では、その幅は約１４フィート（約４．３ｍ）である。いずれにしても、モジュール１００は、フロア１０４と底１０３とが取り付けられた構造レールベース１０２を含む。モジュール１００は、一方側に細長い外壁１２２を有し、反対側１２６に開口１１９を有する。構造レールベース１０２は、構造用鋼、成形金属薄板、アルミニウム、又は当業者に知られている他の適当な材料で形成されるのがよい。底１０３及びフロア１０４は、鋼踏み板、アルミニウム、又は当業者に知られている他の適当な材料で形成されるのがよい。コンピュータラックユニット１０６が、モジュール１００の内部でフロア１０４に取り付けられる。図示の実施形態では、コンピュータラックユニット１０６は、細長い外壁１２２に平行に取り付けられている。コンピュータラックユニット１０６は、コンピュータラック１１０が取り付けられたプラットホーム１０８を含むのがよい。コンピュータラック１１０は、コンピュータシステム又はサーバの様々なコンポーネントに対応する様々な電子モジュールを含むのがよい。例えば、コンピュータラック１１０は、中央処理装置（CPU）、制御モジュール、ハードドライブ、CD/DVDドライブ、ランダムアクセスメモリのような様々メモリモジュール、処理用モジュール、ネットワークインタフェース、通信モジュール、及び／又はインターネット接続を含むのがよい。さらに、例えば、電力分配装置（PDU）、無停電電源装置（UPS）、可変周波数ドライブ（VFD）、電動モータスタータキャビネット、及び／又はプログラマブル・ロジック・コントローラのような他の種類のモジュールを、コンピュータラックユニット１０６に組み込むことができる。コンピュータラックユニット１０６は、内部コンポーネントへの職員のアクセスを可能にする１つ又はそれ以上のドア（図示せず）又はアクセスパネルを含むのがよい。
【００１４】
モジュール１００を組立てる基礎を設けることに加えて、構造レールベース１０２は、フロア１０４の下にアクセスチェース１０１、即ちプレナムを形成するのに使用されるのがよい。レールベース１０２の高さは、例えば、配線、配管又は空調設備のような、チェース１０１の所望の用途に順応するように選択されるのがよい。ベースレール１０２の寸法には制限がないが、好適には、レールベース１０２は６インチ（１５．２４ｃｍ）乃至２４インチ（６０．９６ｃｍ）の高さを有する。１つの好ましい実施形態では、レールベース１０２は、レールベースの両端に、それぞれ、１対の冷水供給取付具１０７ａ及び戻り取付具１０７ｂを備え、それによって複数のレールベースを鏡面対称に互いに容易に取り付けることができる。
【００１５】
プラットホーム１０８は、ベース１０８とコンピュータラック１１０の操作を容易にする開口１１２を有するベース１０８’を含む。一実施形態では、フォークリフト（図示せず）のフォークが、モジュール１００の組み立てを支援するために、プラットフォームベース１０８’の開口１１２に挿入されるのがよい。プラットホーム１０８は、コンピュータラックユニット１０６を、例えばフロア１０４にボルト留めすることができるように、取付ブラケット１１４をさらに含むのがよい。また、モジュール１００は、様々なライト１１６、配線ラック１１８、及び例えば、スプリンクラーや他の消火装置、煙感知器、火災感知器、及び／又は換気装置のような、安全装置１２０を含むのがよい。一実施形態では、配線はフロア１０４の下に配置することができる。
【００１６】
一実施形態では、モジュール１００は、モジュールデータセンタ１００の頂からコンピュータラックユニット１０６の頂に向けられ、コンピュータラックユニット１０６の全長に延びる冷却隔壁１２１を含む。冷却隔壁１２１は、ガラス、木材、金属、プラスチック、プレキシガラス、又は冷却隔壁を形成するための当業者に公知の他の適当な材料で製造されるのがよい。
【００１７】
モジュール１００の幅は、限定されないが、例示的な一例では、図１に示すように、モジュール１００は、幅が約８フィート（約２．４ｍ）である。この実施形態では、コンピュータラックユニット１０６は、約３フィート（約９．１ｍ）の幅１０７を有し、モジュール１００の外壁１２２とコンピュータラックユニット１０６の外側１２５との間に約３フィートのアクセススペース１２３を伴って設置される。この位置決めにより、コンピュータラックユニット１０６の内側１２７と、外壁１２２と反対側のモジュール側１２６の開口１１９との間に、約２フィートのアクセススペース１２４が形成される。
【００１８】
図３は、２つのモジュール１００及び１００’の切取端面図であり、それぞれの開口１１９を有するモジュール１００及び１００’の側１２６を整合させ、２つのモジュールを連結して、モジュールデータセンタ２００を形成する。２つのモジュール１００及び１００’は、２つのユニットを一緒にボルト止めし、又はそれらを一緒に溶接するような、当業者に知られている任意の適当な手段によって、連結されるのがよい。従って、２つのモジュール１００及び１００’で形成されたモジュールデータセンタ２００は、モジュール１００及びモジュール１００’のアクセススペース１２４を結合し、そのため、コンピュータラックユニット１０６間の結合スペース２０２は幅の約２倍である。かくして、どんな単一モジュール１００のアクセススペース１２４も、コンピュータラックユニット１０６の周りに要求されるアクセススペースを満たさないのに対し、結合されたスペース２０２は、両方のコンピュータラックユニット１０６のアクセススペースの要求を満たす。前の段落の実施例では、結合アクセススペースは、幅が約４フィートである。かくして、モジュールデータセンタ２００の分割部１２９を横切る結合アクセススペース１２４は、いずれのコンピュータラックユニット１０６のアクセススペース要件をも別々に満たし、あるいは、両方のコンピュータラックユニット１０６のアクセススペース要件を集合的に満たす。
【００１９】
図示しないが、モジュールデータセンタの様々な加熱、冷却、換気、安全性、電気、及びデータシステムも、モジュールデータセンタ２００が形成されるときに互いに連結されるように構成されるのがよい。
【００２０】
図４は、モジュールデータセンタ２００の一実施形態を示す平面図である。モジュールデータセンタ２００は、入口又は出口用の１つ又はそれ以上ドア２０３を有するのがよい。一実施形態では、コンピュータラックユニット１０６は、第１端２０１から第２端２０５まで、モジュールデータセンタ２００の長さのかなりの部分に沿って延びる。各コンピュータラックユニット１０６は、その２つの端の間で、コンピュータラックユニット１０６の全長にわたって延びる冷却隔壁１２１を有する。冷却隔壁端１２８が、隣接するコンピュータラックユニット１０６の間に延び、コンピュータラックユニット１０６の間に形成されるアクセス空間２０２の周りに囲壁１３１を形成する。一実施形態では、一方又は両方の冷却隔壁端１２８は、スペース２０２へのアクセス用のドア１３０を含むのがよい。この実施形態では、当業者は、コンピュータラックユニット１０６自体もスペース２０２の周りの囲壁１３１の一部を形成するのがよいことを理解するであろう。いずれにしても、スペース２０２の周りの囲壁１３１内の環境は、モジュールデータセンタ２００の内部の残部から隔てられて冷却され又は調整されるのがよい。この点で、囲壁１３１内の温度は、モジュールデータセンタ２００内に、冷気ゾーン２０７又は「低温」通路を形成する。
【００２１】
図５及び図６は、それぞれ、モジュールデータセンタ２００の一実施形態の切取端面図及び切取平面図であり、空調ユニット２０６がフロア１０４から冷気を供給し、エアプレナムとして機能するようにチェース１０１を加圧する。フロア１０４の給気口２１０により、冷気がチェース１０１から「低温通路」アクセススペース２０２に流入させる。一実施形態では、アクセススペース２０２のフロア１０４には、冷気をフロア１０４を通して上方に流れさせるように孔があけられる。囲まれたアクセススペース２０２は、その後、コンピュータラックユニット１０６の内側１２７に冷気を供給する冷気ゾーン２０７になる。次いで、冷気は、図に示すように、コンピュータラックユニット１０６の中を通り、コンピュータのラックユニットの背面に設置された戻り空気孔２１２を通過し、暖められた空気は空調ユニット２０６に戻る。空調ユニット２０６は、当業者に知られたいかなる適当な空調ユニットでもよく、例えば、外部凝縮ユニットにより供給される冷水又は冷媒を使用してもよく、又は、気候が十分に高温で乾燥している場合、蒸発冷却を使用してもよい。一実施形態では、空調ユニット２０６は、空調費を節約するのに利用できる場合に低温外気を活用するエコノマイザを含めて設計される。別の実施形態では、空調ユニット２０６は、構造ベースレール１０２により形成されたチェース１０１内でフロア１０４の下に設置されてもよく、あるいは、空調ユニットはコンピュータラックユニット１０６の一部として形成されてもよい。モジュールデータセンタ２００の壁１２２、天井、フロア１０４、底１０３は、空調システムの効率化に役立つように断熱されるのがよい。同様に、冷気も、本発明の精神から逸脱することなく、オーバーヘッドダクトのような他の方法で、「低温」通路に供給されてもよい。別の実施形態では、コンピュータラックユニット１０６を出る暖気が直ぐに冷却されるように、背面冷却コイル２１４が、コンピュータラックユニット１０６の背面に設置された戻り空気孔２１２に隣接して設けられるのがよい。背面冷却コイル２１４は、チェース１０１に設置された冷水配管（図示せず）に連結される。
【００２２】
図７及び図８は、それぞれ、一般的には上述したように分割部３０６を挟んで向かい合うモジュール３０２、３０４の組み合わせによって形成されたモジュールデータセンタ３００の一実施形態を示す切取平面図及び等角図である。しかしながら、本発明のこの実施形態では、各モジュール３０２及び３０４は、細長い外壁に対して一般的に垂直に配置された複数のコンピュータラックユニット１０６を有する。この場合、隣接するモジュール３０２、３０４のコンピュータラックの端は、分割部３０６を跨いでアクセススペース３０８を「共有する」。モジュールデータセンタ３００は、モジュールデータセンタ２００について上述した空調システムと同様の、床下チェース３１２に冷気を供給する空調ユニット３１０によって冷却されるのがよい。この実施形態では、コンピュータラックユニット１０６の端の間に、そしてこれらの端を含む、分割部３０６に沿って低温通路を形成する囲壁がアクセススペースの周りに形成されるのがよい。あるいは、低温通路を形成するために、外壁から外壁まで、隣接するコンピュータラックユニット１０６の長さに沿って、隔壁が設置される。コンピュータラックユニット１０６は、コンピュータラックユニット１０６の戻り空気開口３１６に取り付けられる背面冷却コイル３１４を含むのがよい。背面冷却コイル３１４は、チェース３１２に設置された冷水配管（図示せず）に連結されるのがよい。背面冷却コイル３１４への冷却水の流れ及び温度を制御する冷却液分配ユニット３１７が、モジュールデータセンタ３００に設置されるのがよい。
【００２３】
図９は、複数の建物モジュール１００が交互の「低温」及び「温暖」通路を作るように互いに固定される、本発明の別の実施形態を示す。このような場合、外側のモジュール１００のみが外壁１２２を有し、その間に整列されたモジュール１００が、両方の細長い側面１２６に開口１１９を有する。この構成では、複数列のコンピュータラック１０６が、外壁に対して平行に配置される。建物分割部を跨ぐ共有アクセススペースは、上述したように冷却され、それにより「低温」通路２０７を形成する、囲まれた結合スペースと、建物分割部を跨ぐ囲まれていない共有アクセススペース２２０、即ち「温暖」通路とが、交互に並ぶ。
【００２４】
図１０は、本開示の１つ又はそれ以上の態様による、図１乃至図９に示したようなモジュールデータセンタ２００又はモジュールデータセンタ３００を形成する方法４００の少なくとも一部のフローチャート図である。図１０を参照すると、方法４００は、データセンタの大きさを決定するステップ４０２を含む。ステップ４０２は、何列のコンピュータラックユニットが必要とされるのか、及びどの程度のアクセススペースがユニットの両側で必要とされるのかを決定することを要求する。例えば、各列の長さが４０フィート（１２．２ｍ）の２列のコンピュータラックユニットが必要であること、及び、各コンピュータラックユニットの背面に３フィート（０．９１ｍ）のアクセススペースが必要であり、２列のコンピュータラックユニットの間に４フィート（１．２２ｍ）のアクセススペースが必要であることが決定される。各コンピュータラックユニットの幅がほぼ３フィート（０．９１ｍ）であるこの例では、データセンタの幅は、少なくとも１６フィート（４．８８ｍ）でなければならず、長さ４０フィート（１２．２ｍ）のコンピュータラックユニットに加えていかなる補助装置をも収容するのに十分な長さでなければならない。次のステップ４０４では、ステップ４０２で決定されたデータセンタを形成するのに必要な、モジュールのサイズ、モジュールの数、及び、モジュール間の輸送分割部の場所が決定される。例えば、前述の例を使用すると、長さ５０フィート（１５．２ｍ）、幅１７フィート（５．１８ｍ）のデータセンタが、２列の長さ４０フィート（１２．２ｍ）のコンピュータラックに加えて、前述した空調及び他の装置を収容することがステップ４０２で決定された場合、ステップ４０４では、それぞれ長さ５０フィート（１５．２ｍ）、幅８フィート６インチ（２．５９ｍ）の２つのモジュールがプロジェクトの要求を満たすことが決定される。このステップ４０４では、２列のコンピュータラックユニットの間に必要だった４フィートのアクセススペースは、２つのモジュールをそれらの輸送分割部に沿って連結することによって得られ、各モジュールは、全体として必要な４フィートのアクセススペースの一部を提供する。かくして、前述したように、モジュールの長さ寸法に沿ったモジュールの組み合わせにより、各モジュールのアクセススペースが結合されたときに必要なアクセススペースが得られる。別の例として、ステップ４０２で、長さ５０フィート（１５．２ｍ）、幅５０フィート（１５．２ｍ）、のデータセンタが、必要なコンピュータラックを収容し、また、追加の冷凍機及びポンプと発電機とを含むことが決定された場合、ステップ４０４で、それぞれ長さ約５０フィート（１５．２ｍ）、幅約１０フィート（３．０５ｍ）の５つのモジュールがプロジェクトの要求を満たすことが決定され、又はステップ４０４で、機器間隔の理由又はその他の理由により、それぞれ幅約８フィート３インチ（２．５１ｍ）、長さ約５０フィート（１５．２ｍ）の６つのモジュールがプロジェクトの要求を満たすことがより適切であることが決定される。
【００２５】
次のステップ４０６では、ステップ４０４で特定されたモジュールの大きさが輸送可能か否かが判定され、輸送可能ではない場合、次いでステップ４０４が実行され、モジュールが輸送可能である場合、次いで、分割構造モジュールが形成されるステップ４０８が実行される。分割構造モジュールが４０８で形成された後、ステップ４１０で、様々なコンピュータラック、空調、及び他の装置が、分割構造モジュール内に取り付けられる。ステップ４１２では、１つ又は複数の低温通路がモジュールデータセンタに形成される場合、低温通路隔壁及び囲壁が設置される。設置されるべき低温隔壁又は囲壁が無い場合、又はステップ４１４で低温通路隔壁を設置した後、ステップ４１６で、分割モジュールは、現場に輸送される準備が整う。モジュールが現場で受け取られると、ステップ４１８で、モジュールは輸送分割部で連結され、モジュールデータセンタを形成する。モジュールが連結された後、ステップ４２０で、様々な電源、データ、冷却水、及びいかなる他の連結部も、モジュール間、及び、モジュールデータセンタと、電力、冷却水、データ、凝縮水が供給されるあらゆるフィールド、及び接続部が設けられるあらゆる他のフィールドとの間で連結される。
【００２６】
空気処理システムの様々な可能な実施形態を説明したが、当業者は、本発明がそのようなシステムのいかなる特定のタイプにも限定されないことを理解するであろう。同様に、場合によっては特定領域の内部及び外部の環境を個別に制御することが望ましいかもしれないが、そのことは本発明にとっては必須ではない。しかしながら、一実施形態では、モジュールデータセンタのコンピュータラックユニットを冷却するための方法が、囲い領域又は「低温通路」を形成するためにコンピュータラックユニットを利用するステップと、コンピュータラックユニットを通って囲い領域の内部から囲い領域の外部に空気が流れるように囲い領域内の気温及び／又は圧力を調整するステップと、を含むようになっている。空気がコンピュータラックユニットを通過すると、熱が除去される。次いで、囲い領域の外側の加熱空気（モジュールデータセンタ２００の内側ではあるが）を、冷却コイル上で熱交換器の中を通し、あるいは熱を除去するように調整することができ、そのため空気を囲い領域に再循環可能させることができる。
【００２７】
従って、本発明は、言及された目的及び利点及びそこに内在する目的及び利点を、よく達成するようになっている。本発明は、本明細書の教示の利益を有する当業者には明らかな、異なるが同等の方法で変更され実施され得るように、上記開示した特定の実施形態は単に例示である。例えば、上述した実施形態は、コンピュータラックユニットへのアクセススペースの結合を可能にする２つのモジュールの結合を説明している。変形実施形態では、３つ又はそれ以上のモジュールを、上述したように結合してもよい。さらに、モジュールは、より幅広の連結モジュールを作るためにそれらの長さ寸法に沿って結合することができるだけでなく、モジュールは、より長い結合モジュールを作るためにそれらの幅寸法に沿って結合することができる。また、モジュール同士を積み重ねることも本発明の範囲内である。さらに、以下の特許請求の範囲に記載されたものを除き、本明細書に示された構造又は設計の詳細への限定は意図されていない。従って、上記開示した特定の例示的な実施形態が変更され又は修正されることができるのは明らかであり、全てのそのような変形は、本発明の範囲及び精神に含まれると考えられる。また、特許権者によって明示的に且つ明らかに定義されない限り、クレームの用語は、単純な、通常の意味を有する。
【図１】
2013511777.tif 000003
【図２】
2013511777.tif 000004
【図３】
2013511777.tif 000005
【図４】
2013511777.tif 000006
【図５】
2013511777.tif 000007
【図６】
2013511777.tif 000008
【図７】
2013511777.tif 000009
【図８】
2013511777.tif 000010
【図９】
2013511777.tif 000011
【図１０】
2013511777.tif 000012
【国際調査報告】
2013511777.tif 000013